(57)【要約】【課題】  コンテンツの視聴者のわずらわしさを削減するためのライセンス発行処理システムおよび方法を提供する。【解決手段】  本発明は、複数のコンテンツで、コンテンツ個々に別個の暗号キーでそれぞれに暗号化を行ったグループに対しても、ユーザが視聴する際、その都度何度も解読のためのライセンス発行処理を実行せず、あたかもひとつの暗号キーで暗号化されたように見えることを可能とし、ユーザが、自分を判別するためのユーザＩＤの入力の回数が減り、すなわち、複数コンテンツの中で、視聴したかどうか判定するためのユーザ判別のためのユーザＩＤ入力を減らすことを可能にする。【選択図】  図１
2005327194.tif 000002
【特許請求の範囲】
【請求項１】
コンテンツの視聴を希望する視聴者端末と、前記コンテンツを前記視聴者端末に対して提供する１つまたは複数のコンテンツ提供者端末と、複数の前記コンテンツを別個の暗号キーでそれぞれ個々に暗号化する手段と、前記暗号化手段により暗号化された、１つまたは複数の前記コンテンツ提供者端末より提供された複数の映像の前記コンテンツを１つまたは複数の前記コンテンツ提供者端末の指定に従ってグループ化するコンテンツグループ化手段と、前記暗号化キーの授受とライセンス生成依頼授受を含むライセンス管理を行うライセンス管理手段と、前記ライセンス生成依頼を受けて映像配信手段に対してコンテンツ配信要求を発する映像データ管理・視聴者情報管理手段と、前記暗号化したコンテンツを前記映像データ管理・視聴者情報管理手段から受領・登録し、前記視聴者端末からのコンテンツ配信要求を受けて前記視聴者端末に配信する映像配信手段を含む映像コンテンツ配信サーバとを、インターネッを含むネットワークを介して接続してなる複数暗号化コンテンツの擬似同一ライセンス発行処理システムであって、
前記視聴者端末が前記同一グループ内の暗号化された複数コンテンツを解読して視聴する場合、最初に視聴する暗号化されたコンテンツは、該コンテンツを明示的に解読するためのライセンス発行処理を行うことにより視聴可能となり、同一グループ内の暗号化された複数コンテンツの中から第２番目以降に視聴する暗号化されたコンテンツは、このコンテンツを明示的に解読するためのライセンス発行処理を行わず視聴可能となるシステム。
【請求項２】
コンテンツの視聴を希望する視聴者端末と、前記コンテンツを前記視聴者端末に対して提供する１つまたは複数のコンテンツ提供者端末と、映像コンテンツ配信サーバとをインターネットを含むネットワークを介して接続して行う複数暗号化コンテンツの擬似同一ライセンス発行処理方法であって、
前記映像コンテンツ配信サーバが、複数のコンテンツを別個の暗号キーでそれぞれ個々に暗号化する工程と、
該暗号化された複数コンテンツを前記コンテンツ提供者端末の指定に従ってグループ化する工程と、
前記暗号化キーの授受とライセンス生成依頼授受を含むライセンス管理を行う工程と、  前記ライセンス生成依頼を受けてコンテンツ配信要求を発する工程と、
前記暗号化したコンテンツを受領・登録し、前記視聴者端末からのコンテンツ配信要求を受けて前記視聴者端末に配信する工程を有し、
前記視聴者端末が前記同一グループ内の暗号化された複数コンテンツを解読して視聴する場合、最初に視聴する暗号化されたコンテンツは、該コンテンツを明示的に解読するためのライセンス発行処理を行うことにより視聴可能となり、前記同一グループ内の暗号化された複数コンテンツの中から第２番目以降に視聴する暗号化されたコンテンツは、このコンテンツを明示的に解読するためのライセンス発行処理を行わず視聴可能となる方法。
【請求項３】
請求項２に記載の方法を、前記映像コンテンツ配信サーバとなるべきコンピュータに実行させるプログラム。
【請求項４】
請求項３に記載のプログラムを記録した記録媒体。
【発明の詳細な説明】
【技術分野】
【０００１】
本発明は、視聴する権限のない者が視聴することのできないように、守秘を保つ必要のある文書、音声、画像などの電子コンテンツを安全に保護し、あらかじめ決められた者のみに開示する複数暗号化コンテンツの擬似同一ライセンス発行処理システム、方法であって、高い守秘性を保持しつつ、視聴者の視聴時のわずらわしさを軽減し、その便宜を図るものである。
【背景技術】
【０００２】
従来、複数コンテンツを、そのコンテンツ個々に別個の暗号キーでそれぞれ暗号化をおこなったものそれぞれを視聴する際に、その都度、視聴者に明示的に、解読するためのライセンス発行処理が実行され、視聴者を識別するための個別のユーザＩＤ、パスワードなどの入力が必要となっていた（例えば、非特許文献１参照）。
【非特許文献１】“Ｗｉｎｄｏｗｓ Ｍｅｄｉａ Ｒｉｇｈｔｓ Ｍａｎａｇｅｒ ７”、[ｏｎｌｉｎｅ]、[平成１６年５月１２日検索]、インターネット＜ＵＲＬ：ｈｔｔｐ：／／ｗｗｗ．ｍｉｃｒｏｓｏｆｔ．ｃｏｍ／ｊａｐａｎ／ｍｓｄｎ／ｗｉｎｄｏｗｓｍｅｄｉａ／ｗｍｒｍ７／ｄｅｆａｕｌｔ．ａｓｐ＞
【発明の開示】
【発明が解決しようとする課題】
【０００３】
このように、従来は、複数コンテンツを、そのコンテンツ個々に別個の暗号キーでそれぞれに暗号化をおこなったものそれぞれを視聴する際に、その都度、視聴者に明示的に、解読するためのライセンス発行処理が実行され、視聴者を識別するための個別のユーザＩＤ、パスワードなどの入力が必要となり、わずらわしいという問題があった。
【０００４】
また、その他、複数コンテンツの中で、ひとつでもライセンス発行が行われ、視聴したかどうか判定する際に、視聴者を判別する個別のユーザＩＤ、パスワードなどの入力がその都度必要となり、わずらわしいという問題があった。
【０００５】
本発明は、上述したような従来の方法の有する欠点に鑑みてなされたものであって、これらの課題を解決し、コンテンツの視聴者のわずらわしさを削減するためのシステムおよび方法を提供する。
【課題を解決するための手段】
【０００６】
上記目的を達成するために、本発明は、コンテンツの視聴を希望する視聴者端末と、コンテンツを視聴者に対して提供する１つまたは複数のコンテンツ提供者端末と、複数のコンテンツを別個の暗号キーでそれぞれ個々に暗号化する手段と、暗号化手段により暗号化された１つまたは複数のコンテンツ提供者より提供された複数映像コンテンツを１つまたは複数のコンテンツ提供者の指定に従ってグループ化するコンテンツグループ化手段と、暗号化キーの授受とライセンス生成依頼授受を含むライセンス管理を行うライセンス管理手段と、ライセンス生成依頼を受けて映像配信手段に対してコンテンツ配信要求を発する映像データ管理・視聴者情報管理手段と、暗号化したコンテンツを映像データ管理・視聴者情報管理手段から受領・登録し、視聴者からのコンテンツ配信要求を受けて視聴者に配信する映像配信手段とを含む映像コンテンツ配信サーバとをインターネットを含むネットワークを介して接続してなる複数暗号化コンテンツの擬似同一ライセンス発行処理システムにおいて、視聴者が上記同一グループ内の暗号化された複数コンテンツを解読して視聴する場合、最初に視聴する暗号化されたコンテンツは、このコンテンツを明示的に解読するためのライセンス発行処理を行うことにより視聴可能となることを特徴としている。
【０００７】
また、同一グループ内の暗号化された複数コンテンツの中から第２番目以降に視聴する暗号化されたコンテンツは、このコンテンツを明示的に解読するためのライセンス発行処理を行わず視聴可能となることを特徴としている。
【０００８】
また、コンテンツを明示的に解読するためのライセンス発行処理は、視聴者が視聴者端末によりユーザＩＤとパスワードを入力することにより実行されることを特徴としている。
【０００９】
また、複数コンテンツは、同一の情報提供者から提供され、登録する際に同一カテゴリーにグループ化されたものであることを特徴としている。
【００１０】
また、複数コンテンツは、複数の情報提供者から提供され、登録する際に同一カテゴリーにグループ化されたものであることを特徴としている。
【００１１】
また、コンテンツグループ化手段により同一カテゴリーにグループ化された複数コンテンツは、後に追加登録が可能であることを特徴としている。
【００１２】
また、ライセンス管理手段は、ユーザによるクッキー情報を取得するクッキー情報取得手段、同一グループ内でのライセンス発行の有無を管理するライセンス発行管理手段を有することを特徴としている。
【００１３】
また、発行処理を行った視聴者を判別するユーザＩＤ、パスワードを含む情報を、最初にコンテンツを視聴した時、ライセンス管理手段は、クッキー情報から取得した視聴者情報を暗号化して埋め込んで記憶させておき、視聴者に確認してもらうことを特徴としている。
【００１４】
また、発行処理を行った視聴者を判別するユーザＩＤ、パスワードを含む情報を、最初にコンテンツを視聴した時、この視聴者端末のアプリケーションに、暗号化して埋め込んで記憶させておくことを特徴としている。
【００１５】
また、視聴者端末には、映像コンテンツ視聴ソフトがインストールされ、コンテンツ視聴・表示手段により視聴可能であることを特徴としている。
【００１６】
また、視聴者端末のＷＭＰは、ライセンス発行済みであるか否かの判断手段を有し、発行済みである場合には、直ちにコンテンツの再生を開始することを特徴としている。
【００１７】
また、視聴者端末のＷＭＰは、ライセンスが未発行の場合には、発行要求をライセンス管理手段に対して行い、このライセンス管理手段は、この視聴者に対して同一グループ内のコンテンツにライセンス発行済み履歴が残っていれば、クッキー情報をもとにライセンス発行処理を行うことを特徴としている。
【００１８】
また、ライセンス管理手段は、この視聴者に対して同一グループ内のコンテンツにライセンス発行済み履歴が残っていなければ、コンテンツ視聴・表示手段における認証画面にてユーザＩＤ、パスワードを入力する通常のライセンス発行処理を行うことを特徴としている。
【００１９】
また、コンテンツの視聴を希望する視聴者端末と、コンテンツを視聴者に対して提供する１又は複数のコンテンツ提供者端末と、映像コンテンツ配信サーバとをインターネットを含むネットワークを介して接続してなる複数暗号化コンテンツの擬似同一ライセンス発行処理方法において、映像コンテンツ配信サーバは、複数のコンテンツを別個の暗号キーでそれぞれ個々に暗号化する工程と、この暗号化された複数コンテンツをコンテンツ提供者の指定に従ってグループ化する工程と、暗号化キーの授受とライセンス生成依頼授受を含むライセンス管理を行う工程と、ライセンス生成依頼を受けてコンテンツ配信要求を発する工程と、暗号化したコンテンツを受領・登録し、視聴者からのコンテンツ配信要求を受けて視聴者に配信する工程を有し、視聴者が同一グループ内の暗号化された複数コンテンツを解読して視聴する場合、最初に視聴する暗号化されたコンテンツは、このコンテンツを明示的に解読するためのライセンス発行処理を行うことにより視聴可能となることを特徴としている。
【００２０】
また、同一グループ内の暗号化された複数コンテンツの中から第２番目以降に視聴する暗号化されたコンテンツは、このコンテンツを明示的に解読するためのライセンス発行処理を行わず視聴可能となることを特徴としている。
【００２１】
また、コンテンツを明示的に解読するためのライセンス発行処理は、視聴者が視聴者端末によりユーザＩＤとパスワードを入力することにより実行されることを特徴としている。
【００２２】
また、複数コンテンツは、同一の情報提供者から提供され、登録する際に同一カテゴリーにグループ化されたものであることを特徴としている。
【００２３】
また、複数コンテンツは、複数の情報提供者から提供され、登録する際に同一カテゴリーにグループ化されたものであることを特徴としている。
【００２４】
また、同一カテゴリーにグループ化された複数コンテンツは、後に追加登録が可能であることを特徴としている。また、ライセンス管理工程は、ユーザによるクッキー情報を取得する工程、同一グループ内でのライセンス発行の有無を管理する工程からなることを特徴としている。
【００２５】
また、発行処理を行った視聴者を判別するユーザＩＤ、パスワードを含む情報を、最初にコンテンツを視聴した時、ライセンス管理工程において、クッキー情報から取得した視聴者情報を暗号化して埋め込んで記憶させておき、視聴者に確認してもらうことを特徴としている。
【００２６】
また、発行処理を行った視聴者を判別するユーザＩＤ、パスワードを含む情報を、最初にコンテンツを視聴した時、この視聴者端末のアプリケーションに、暗号化して埋め込んで記憶させておくことを特徴としている。
【００２７】
また、視聴者端末には、映像コンテンツ視聴ソフトがインストールされ、視聴可能であることを特徴としている。
【００２８】
また、視聴者端末のＷＭＰは、ライセンスが未発行の場合には、視聴者に対して同一グループ内のコンテンツにライセンス発行済み履歴が残っていれば、クッキー情報をもとにライセンス発行処理を行うことを特徴としている。
【００２９】
また、視聴者に対して同一グループ内のコンテンツにライセンス発行済み履歴が残っていなければ、認証画面にてユーザＩＤ、パスワードを入力することでライセンス発行処理を行うことを特徴としている。
【００３０】
また、複数のコンテンツを別個の暗号キーでそれぞれ個々に暗号化する工程と、この暗号化された複数コンテンツをコンテンツ提供者の指定に従ってグループ化する工程と、暗号化キーの授受とライセンス生成依頼授受を含むライセンス管理を行う工程と、ライセンス生成依頼を受けてコンテンツ配信要求を発する工程と、暗号化したコンテンツを受領・登録し、上記視聴者からのコンテンツ配信要求を受けて上記視聴者に配信する工程を有するプログラムである。
【００３１】
また、このプログラムを記録したコンピュータ読み取り可能な記録媒体に格納される。この記録媒体としては、例えば、フロッピーディスクやＣＤ−ＲＯＭといった可搬型の記録媒体のほか、半導体メモリや磁気ディスクといった各種記録媒体がある。
【発明の効果】
【００３２】
以上説明したように、本発明によれば、複数のコンテンツで、コンテンツ個々に別個の暗号キーでそれぞれに暗号化を行ったグループに対しても、ユーザが視聴する際、その都度何度も解読のためのライセンス発行処理を実行せず、あたかもひとつの暗号キーで暗号化されたように見えることが可能となり、ユーザが、自分を判別するためのユーザＩＤの入力の回数が減り、すなわち、複数コンテンツの中で、視聴したかどうか判定するためのユーザ判別のためのユーザＩＤ入力を減らすことができる。
【発明を実施するための最良の形態】
【００３３】
次に、本発明の実施の形態について、図面を参照して詳細に説明する。
【００３４】
図１は、本発明のシステム構成図である。１０、１１、・・・、ｎは、コンテンツを視聴者に対して提供するコンテンツ提供者端末、２０は、コンテンツの視聴を希望する視聴者端末、２１は、ユーザＩＤ・パスワード入力部、２２は、コンテンツ視聴・表示部である。３０は、映像コンテンツ配信サーバであり、１００、１０１、１０２、・・・、ｍは、コンテンツ提供者端末１０、１１、・・・、ｎより提供されるコンテンツ、２００は、複数のコンテンツを別個の暗号キーでそれぞれ個々に暗号化するコンテンツ暗号化部、３００は、コンテンツ暗号化部２００により暗号化された、コンテンツ提供者端末１０、１１、・・・、ｎより提供された複数の映像コンテンツ１００、１０１、１０２・・・、ｍを、コンテンツ提供者端末１０、１１、・・・、ｎの指定に従ってグループ化するコンテンツグループ化部、４００は、暗号キーの授受とライセンス生成依頼授受を含むライセンス管理を行うライセンス管理部で、ユーザによるクッキー情報を取得するクッキー情報取得部４０１と、同一グループ内でのライセンス発行の有無を管理するライセンス発行管理部４０２を有する。５００は、ライセンス生成依頼を受けてコンテンツ配信部６００に対してコンテンツ配信要求を発するユーザ情報・コンテンツ情報管理部、６００は、暗号化したコンテンツをユーザ情報・コンテンツ情報管理部５００から受領・登録し、視聴者端末２０からのコンテンツ配信要求を受けて視聴者端末２０に配信するコンテンツ配信部である。４０は、インターネットなどのネットワークである。
【００３５】
次に、本発明の動作を詳細に説明する。図２は、ライセンス発行処理のフロー、図３は、ライセンス発行処理における認証画面、図４は、ライセンス発行処理におけるライセンス発行確認画面、図５は、ライセンス発行処理におけるライセンス発行中画面、図６は、ライセンス発行処理におけるライセンス発行完了画面、図７は、複数コンテンツグループ化の一例である。
【００３６】
（１）複数コンテンツ１００、１０１、１０２、・・・、ｍのグループ化
コンテンツ１００、１０１、１０２、・・・、ｍをどのようにグループ化するかに関するグループ化情報は、あらかじめ１つまたは複数のコンテンツ提供者端末１０、１１、・・・、ｎにより決定され、ユーザ情報・コンテンツ情報管理部５００に登録される。図７は、グループ化の例である。グループ化は、同一カテゴリーであれば、同一か複数の異なるコンテンツ提供者であるかを問わない。例えば、アニメ系であれば、鉄腕アトムグループ、ディズニーのグループ、ワールドカップサッカーで、日本の対戦のみを集めたグループなどである。対戦が進むにつれてグループ内のコンテンツも増加するなど、後からの追加登録も可能である。
【００３７】
（２）コンテンツの暗号化処理
コンテンツは、ユーザに配信するためにコンテンツ暗号化部２００に入力され、その際、ライセンス管理部４００との間で暗号化キーの授受がなされる。暗号化されたコンテンツは、コンテンツ配信部６００に登録される。
【００３８】
（３）視聴者へのコンテンツ配信
配信要求対象コンテンツは、ユーザ端末２０に配信される。ユーザ端末２０ではコンテンツを取得するためにブラウザ（ＷＭＰ）がインストールされ、コンテンツ視聴・表示部２２により視聴できる。
【００３９】
（４）視聴者からのライセンス発行要求
図２は、視聴者からのライセンス発行要求を表すフローである。視聴者（ユーザ）端末２０には、映像コンテンツ視聴ソフト（以下、ＷＭＰという）がインストールされ、ＷＭＰからライセンス発行要求を行う（ステップ２０１）。ライセンス管理部４００のクッキー情報取得部４０１によりクッキー取得確認を行い（ステップ２０２、２０３）、次にライセンス発行管理部４０２により同一グループ内でのライセンス発行の有無を確認する。上記組み合わせにより以下に示す３つのパターンがある。
【００４０】
（ｉ）パターン１（ステップ２０７）
クッキー設定がなされていない場合、および、クッキー設定はあるが、同一グループ内でのライセンス発行がない場合には、発行処理を行った視聴者を判別するユーザＩＤ、パスワードなどを、最初にコンテンツを視聴したときと判断し、ライセンス発行管理部４０２において、ライセンス発行処理（パターン１）を行うと同時に、クッキー情報から取得した視聴者情報を暗号化して埋め込んで記憶させておいても、視聴者端末のアプリケーションに、暗号化して埋め込んで記憶させておいてもいい。
【００４１】
図３は、パターン１における認証画面の例である。認証のための入力項目であるユーザＩＤとパスワードを入力してＯＫ（ライセンス発行）ボタンをクリックすると、図５に示すライセンス発行中画面に移る。「ライセンスの設定を行っています。再生ボタンが表示されたら準備完了です。ご利用ありがとうございました。」と表示される。「再生」ボタンはこの段階では押すことができない。「キャンセル」ボタンを押すとライセンス取得をキャンセルすることができる。
【００４２】
次に、図６のライセンス発行完了画面に移る。メッセージは、図５と同様であるが、この段階で「再生」ボタンを押すと、コンテンツの視聴が開始される。「キャンセル」ボタンを押すとコンテンツの視聴をキャンセルするが、ライセンスの取得は完了している。
【００４３】
擬似同一ライセンス発行の方法としては、クッキー設定があり、かつ、同一グループ内でのライセンス発行がある場合であり、パターン２とパターン３の２種類がある。
【００４４】
（ｉｉ）パターン２（ステップ２０８）
図４に示すライセンス発行確認画面において、「ＯＫ」ボタンを押すと、図５に示すライセンス発行中画面、図６のライセンス発行完了画面に移ることは、パターン１と同様である。ボタンの機能も同様である。このパターン２では、ユーザＩＤ、パスワードの入力は不要となる。
【００４５】
（ｉｉｉ）パターン３（ステップ２０９）
図５に示すライセンス発行中画面、図６に示すライセンス発行完了画面に移ることは、パターン１、２の場合と同様である。ボタンの機能も同様である。パターン３でも、ユーザＩＤ、パスワードの入力は不要となる。
【００４６】
なお、視聴者端末のＷＭＰは、ライセンス発行済みであるか否かを判断し、発行済みである場合には、直ちにコンテンツの再生を開始する。
【図面の簡単な説明】
【００４７】
【図１】システム構成図である。
【図２】ライセンス発行処理フローである。
【図３】認証画面の例である。
【図４】ライセンス発行確認画面の例である。
【図５】ライセンス発行中画面の例である。
【図６】ライセンス発行完了画面の例である。
【図７】複数コンテンツのグループ化の例である。
【符号の説明】
【００４８】
１０、１１、・・・、ｎ  コンテンツ提供者端末
２０  視聴者端末
２１  ユーザＩＤ・パスワード入力部
２２  コンテンツ視聴・表示部
３０  映像コンテンツ配信サーバ
４０  ネットワーク
１００、１０１、１０２、・・・、ｍ  映像コンテンツ
２００  コンテンツ暗号化部
３００  コンテンツグループ化部
４００  ライセンス管理部
４０１  クッキー情報取得部
４０２  ライセンス発行管理部
５００  ユーザ情報・コンテンツ情報管理部
６００  コンテンツ配信部
２０１〜２０９  ステップ
【図１】
2005327194.tif 000003
【図２】
2005327194.tif 000004
【図３】
2005327194.tif 000005
【図４】
2005327194.tif 000006
【図５】
2005327194.tif 000007
【図６】
2005327194.tif 000008
【図７】
2005327194.tif 000009